(57)【要約】【課題】画像表示装置において消費電力を抑えつつ効率良く発熱素子を冷却すること【解決手段】画像を表示する液晶プロジェクタ１Ａは、発熱素子部１６と、発熱素子部を冷却する冷却部１４と、画像表示装置の設置場所の温度を検出する温度センサ部１５と、発熱素子部の所定時間における温度変化を表す温度勾配の情報を取得し、温度勾配が第１の温度勾配値のときの冷却レベルよりも、温度勾配が前記第１の温度勾配値よりも大きい第２の温度勾配値のときの冷却レベルが高くなるように、冷却部の冷却レベルを設定する制御部２０Ａと、を有する。【選択図】図１
2015125382.tif 000002
【特許請求の範囲】
【請求項１】
画像を表示する画像表示装置であって、
通電によって発熱する発熱素子部と、
前記発熱素子部を冷却する冷却手段と、
前記発熱素子部の所定時間における温度変化を表す温度勾配の情報を取得し、前記温度勾配が第１の温度勾配値のときの冷却レベルよりも、前記温度勾配が前記第１の温度勾配値よりも大きい第２の温度勾配値のときの冷却レベルが高くなるように、前記冷却手段の前記冷却レベルを設定する制御手段と、
を有することを特徴とする画像表示装置。
【請求項２】
前記制御手段は、前記発熱素子部への印加電圧値の変動の影響がなくなるように前記温度勾配を補正することを特徴とする請求項１に記載の画像表示装置。
【請求項３】
前記画像を表示するための光を射出する光源部を更に有し、
前記制御手段は、前記光源部を除く前記発熱素子部への通電をすることによって前記冷却手段の前記冷却レベルを設定することを特徴とする請求項１または２に記載の画像表示装置。
【請求項４】
前記発熱素子部は複数の発熱素子を含み、
前記制御手段は、前記発熱素子部において前記画像を表示するときに通電するよりも少ない数の発熱素子を通電することによって前記冷却手段の前記冷却レベルを設定することを特徴とする請求項１乃至３のうちいずれか１項に記載の画像表示装置。
【請求項５】
前記発熱素子部またはその周囲の温度を検出する温度検出手段を更に有し、
前記制御手段は、前記温度検出手段が検出した温度に基づいて前記温度勾配の情報を取得することを特徴とする請求項１または２に記載の画像表示装置。
【請求項６】
前記発熱素子部を放熱する放熱部を更に有し、
前記温度検出手段は前記放熱部の温度を検出することを特徴とする請求項５に記載の画像表示装置。
【請求項７】
前記制御手段は、前記発熱素子部への印加電圧値と前記発熱素子部の電流値に基づいて前記温度勾配の情報を取得することを特徴とする請求項１または２に記載の画像表示装置。
【請求項８】
前記画像を表示するための光を射出する光源部を更に有し、
前記制御手段は、前記温度勾配が第１の閾値以上である場合には前記光源部の点灯を禁止することを特徴とする請求項１または２に記載の画像表示装置。
【請求項９】
前記画像を表示するための光を射出する光源部を更に有し、
前記制御手段は、前記温度勾配が第１の閾値以上である場合には前記光源部と前記発熱素子部の通電を、前記画像を表示するときよりも小さな電力で通電することを特徴とする請求項１または２に記載の画像表示装置。
【請求項１０】
前記画像を表示するための光を射出する光源部を更に有し、
前記制御手段は、前記温度勾配が第１の閾値未満である場合には前記光源部の点灯を許可し、前記光源部は前記制御手段によって点灯を許可された後で点灯されることを特徴とする請求項１、２、８または９に記載の画像表示装置。
【請求項１１】
前記画像を表示するための光を射出する光源部と、
前記画像表示装置の設置場所の温度を検出する温度検出手段と、を更に有し、
前記制御手段は、前記設置場所の温度が第２の閾値以上である場合には前記光源部の点灯を禁止することを特徴とする請求項１乃至１０のいずれか１項に記載の画像表示装置。
【請求項１２】
前記画像表示装置の設置場所の温度を検出する温度検出手段を更に備え、
前記制御手段は、前記設置場所の温度が第２の閾値以上である場合には前記光源部と前記発熱素子部の通電を、前記画像を表示するときよりも小さな電力で通電することを特徴とする請求項８に記載の画像表示装置。
【請求項１３】
前記光源部の点灯が禁止された旨を表示する表示手段を更に有することを特徴とする請求項８または１１に記載の画像表示装置。
【請求項１４】
前記画像表示装置の設置場所の温度を検出する温度検出手段を更に備え、
前記制御手段は、前記設置場所の温度が第２の閾値未満である場合には前記光源部の点灯を許可し、前記光源部は前記制御手段によって点灯を許可された後で点灯されることを特徴とする請求項８に記載の画像表示装置。
【請求項１５】
前記画像表示装置の設置場所の気圧を検出する気圧検出手段を更に有し、
前記制御手段は、前記気圧検出手段が検出する前記気圧が第１の気圧値のときの冷却レベルよりも、前記気圧が前記第１の気圧値よりも低い第２の気圧値のときの冷却レベルが高くなるように、前記冷却手段の前記冷却レベルを設定することを特徴とする請求項１乃至１４のうちいずれか１項に記載の画像表示装置。
【請求項１６】
投射型であることを特徴とする請求項１乃至１５のうちいずれか１項に記載の画像表示装置。
【請求項１７】
画像を表示する画像表示装置であって、
通電によって発熱する発熱素子部と、
前記発熱素子部を冷却する冷却手段と、
前記画像表示装置の設置場所の温度を検出する温度検出手段と、
前記画像表示装置の設置場所の気圧を検出する気圧検出手段と、
前記温度検出手段の検出結果と前記気圧検出手段の検出結果の両者に基づいて、冷却レベルを変更する制御手段と、
を有することを特徴とする画像表示装置。
【請求項１８】
前記温度検出手段で検出された温度と前記気圧検出手段で検出された気圧との積が第１の値のときの冷却レベルが、前記第１の値より小さい第２の値のときの冷却レベルよりも高い、ことを特徴とする請求項１７に記載の画像表示装置。
【発明の詳細な説明】
【技術分野】
【０００１】
本発明は、液晶プロジェクタ、ノート型パーソナルコンピュータ（ＰＣ）、ゲーム機、ＰＤＡ（Ｐｅｒｓｏｎａｌ Ｄｉｇｉｔａｌ Ａｓｓｉｓｔａｎｔ）などの画像表示装置に関する。
【背景技術】
【０００２】
画像表示装置には、通電によって発熱する発熱素子（抵抗素子、インダクタ、コンデンサ、スイッチング素子、ダイオード、集積回路など）が設けられており、安定した動作と表示される画像の画質を維持するために、装置内部を冷却する必要がある。冷却手段としては、例えば、ファンが考えられるが、省力化のためにはファンの冷却レベル（例えば、強、中、弱）を適正に設定する必要がある。また、気圧が下がると冷却効率が低下することは知られているため、画像表示装置の設置場所が高地の場合、冷却レベルの設定を行う必要がある。
【０００３】
冷却レベルの設定を手動で行うと操作性が低下するので、特許文献１は、投射型表示装置に気圧計を搭載して気圧計によって検出された気圧値によって自動で冷却レベルを設定する方法を開示している。また、特許文献２は、特許文献１のように気圧計を設けることによるコストアップを防止するために、投射型表示装置内部の温度と冷却部の駆動時間によって所定時間の温度勾配を算出し、この温度勾配から自動で冷却レベルを設定する方法を開示している。
【先行技術文献】
【特許文献】
【０００４】
【特許文献１】特開２０００−１９４０７２号公報
【特許文献２】特開２００５−７０５１４号公報
【発明の概要】
【発明が解決しようとする課題】
【０００５】
しかしながら、いずれの特許文献も設置場所の外気温を考慮しておらず、不必要な冷却をするおそれがあった。
【０００６】
本発明の目的は、消費電力を抑えつつ効率良く発熱素子を冷却することが可能な画像表示装置を提供することである。
【課題を解決するための手段】
【０００７】
本発明の画像表示装置は、画像を表示する画像表示装置であって、通電によって発熱する発熱素子部と、前記発熱素子部を冷却する冷却手段と、前記発熱素子部の所定時間における温度変化を表す温度勾配の情報を取得し、前記温度勾配が第１の温度勾配値のときの冷却レベルよりも、前記温度勾配が前記第１の温度勾配値よりも大きい第２の温度勾配値のときの冷却レベルが高くなるように、前記冷却手段の前記冷却レベルを設定する制御手段と、を有することを特徴とする。
【発明の効果】
【０００８】
本発明によれば、消費電力を抑えつつ効率良く発熱素子を冷却することが可能な画像表示装置を提供することができる。
【図面の簡単な説明】
【０００９】
【図１】本発明の液晶プロジェクタのブロック図である。（実施例１）
【図２】図１に示すプロジェクタによる自動冷却レベル設定方法を示すフローチャートである（実施例１）
【図３】本発明の液晶プロジェクタのブロック図である。（実施例２）
【図４】図３に示すプロジェクタによる自動冷却レベル設定方法を示すフローチャートである（実施例２）
【発明を実施するための形態】
【００１０】
以下、添付図面を参照して、本発明の実施例を説明する。各実施例では、画像表示装置として液晶プロジェクタ（投射型表示装置）を例に説明するが、画像を表示するものであれば、ノート型ＰＣ、ゲーム機、ＰＤＡなど液晶プロジェクタに限定されない。もっとも、プロジェクタは高圧水銀灯などの光源を使用して特に装置内部温度が上昇し易いので、本発明の効果が大きい。
【実施例１】
【００１１】
図１は、実施例１の液晶プロジェクタ１Ａのブロック図である。図１に示すように、液晶プロジェクタ１Ａは、光源部１１、画像形成部１２、電源部１３、冷却部１４、温度センサ部１５、発熱素子部１６、放熱部１７、温度センサ部１８、制御部２０Ａを有する。
【００１２】
光源部１１は、高圧水銀灯などの発熱素子であり、液晶パネル（光変調素子）を照明する照明光（画像を表示するための光）を射出する。
【００１３】
画像形成部１２は、光源部１１からの光を変調する液晶パネル、光源部１１からの光で液晶パネルを照明する照明光学系を含み、これによって画像を形成する。
【００１４】
電源部１３は、商用ＡＣ電源に接続されて電圧が印加され、液晶プロジェクタ１Ａの各部に電力を供給する。
【００１５】
冷却部１４は、液晶プロジェクタ１Ａの各部を冷却するファンやペルチェ素子などの冷却手段である。冷却部１４は、空冷に限定されず、冷媒を使用してもよい。
【００１６】
温度センサ部１５は、液晶プロジェクタ１Ａの設置場所の外気の温度を検出する温度検出手段である。
【００１７】
発熱素子部１６は、電源部１３から電力を供給されることによって発熱する電源部の電気素子、画像処理部のＩＣ、液晶パネル、抵抗素子、インダクタ、コンデンサ、スイッチング素子、ダイオード、集積回路などである。このように、発熱素子部１６は複数の発熱素子を含む。なお、発熱素子部１６は、光源部１１や電源部１３を含むが、以下の説明では、発熱素子部１６は光源部１１を除いた発熱素子部を意味する。
【００１８】
放熱部１７は、発熱素子部１６の近傍に設置され、発熱素子部１６の放熱を行うヒートシンクやヒートパイプなどである。
【００１９】
温度センサ部１８は、本実施例では、発熱素子部１６の温度を検出する温度検出手段であるが、放熱部１７の温度を取得してもよい。温度センサ部１８としては、温度によって抵抗が変化するサーミスタや周囲の雰囲気温度を計測する温度計などを使用することができる。
【００２０】
制御部２０Ａは、液晶プロジェクタ１Ａの各部の制御を行う制御手段であり、マイクロコンピュータなどから構成される。制御部２０Ａは、特に、冷却部１４が発熱素子部１６を冷却する冷却レベルを設定する。
【００２１】
制御部２０Ａは、通電時間測定手段２１、温度勾配算出手段２２、冷却レベル設定手段２３、光源点灯制御手段２４、電圧測定手段２５、温度勾配補正手段２６、発熱素子給電制御手段２７、メモリ２８を有する。
【００２２】
通電時間測定手段２１は、発熱素子部１６の通電時間を計測する。
【００２３】
温度勾配算出手段（温度勾配取得手段）２２は、温度センサ部１８によって検出された温度値と通電時間測定手段２１によって測定された発熱素子部１６の通電時間から発熱素子部１６の所定時間の温度勾配を算出する。
【００２４】
冷却レベル設定手段２３は、温度センサ部１５によって検出された液晶プロジェクタ１Ａの設置場所の温度と発熱素子部１６の所定時間の温度勾配に応じて冷却部１４の冷却レベルを設定する。冷却レベルは、例えば、強、中、弱であるが、３段階に限定されるものではない。
【００２５】
光源点灯制御手段２４は、発熱素子部１６の所定時間の温度勾配に応じて光源部１１の点灯の可否を判断する。なお、本実施例では、光源点灯制御手段２４は、光源部１１の点灯、消灯を決定するだけであるが、点灯レベル（例えば、１００％の出力で点灯、８０％の出力で点灯など）を決定してもよい。
【００２６】
電圧測定手段２５は、発熱素子部１６への印加電圧値を検出する。なお、電圧測定手段２５が検出した電圧に基づいて、制御部２０は、所定期間における商用ＡＣ電源の印加電圧の変動量が所定範囲内であるかどうかを判断してもよい。この場合の所定範囲は、メモリ２８に記憶される。
【００２７】
温度勾配補正手段２６は、電圧測定手段２５が測定した発熱素子部１６への印加電圧値の変動の影響がなくなるように温度勾配算出手段２２によって取得した温度勾配を補正する。日本国内の商用ＡＣ電源の電圧は１００Ｖであるが、米国は１２０Ｖ、欧州は２２０Ｖから２４０Ｖである。電圧値が変化すると発熱素子部１６の温度勾配が急勾配になることが知られている。本実施例では、後述するように、制御部２０Ａは発熱素子部１６の温度勾配が閾値よりも大きいかどうかを判断するが、温度勾配が商用ＡＣ電源に応じて変化すると閾値との関係が変化する。そこで、温度勾配補正手段２６は、商用ＡＣ電源が１００Ｖ以外であった場合に、１００Ｖであるように温度勾配を補正して閾値との比較を可能にしている。
【００２８】
発熱素子給電制御手段２７は、発熱素子部１６への給電を制御する。メモリ２８は、自動冷却設定方法に必要な情報や変数を記憶する記憶手段であり、ＲＡＭ、ＲＯＭ、記憶媒体などから構成される。
【００２９】
図２は、液晶プロジェクタ１Ａによる自動冷却レベル設定方法を示すフローチャートであり、「Ｓ」はステップ（工程）を表す。自動冷却レベル設定方法では、液晶プロジェクタ１Ａが自動で冷却部１４による冷却レベル（強、中、弱）を設定する。自動で冷却レベルを設定することにより操作性を向上する。また、適正な冷却レベルを設定することによって発熱素子部１６を高い冷却効率で冷却して液晶プロジェクタ１Ａの光学性能を維持し、投射画像の画質を維持することができる。また、不必要に高い冷却レベルで冷却しないので冷却部１４による消費電力を低く抑えることができる。
【００３０】
図２に示すフローチャートは、コンピュータに各手順を実行させるためのプログラムとして具現化が可能であり、このプログラムはメモリ２８に記憶されてもよい。
【００３１】
本実施例は、光源部１１を点灯する前の待機状態（スタンバイ状態）において光源部１１以外の発熱素子部１６を点灯して気圧と外気温の情報を取得し、発熱素子部１６を消灯し、光源部１１を点灯可能かどうか判断する。
【００３２】
特許文献２では、一定期間光源を点灯して温度勾配情報を取得し、その期間の冷却レベルを最高に設定していたため、消費電力が大きかったが、本実施形態では、待機状態では光源部１１を点灯しないので消費電力を抑えることができる。あるいは、光源部１１を待機状態において１０％の出力で点灯するなど、温度勾配情報を取得する期間の点灯出力を画像表示期間の点灯出力よりも小さくするようにして消費電力を抑えてもよい。
【００３３】
Ｓ１０１では、ユーザが液晶プロジェクタ１に電源部１３のスイッチをオンにして商用ＡＣ電源を投入する。
【００３４】
Ｓ１０２では、制御部２０Ａの発熱素子給電制御手段２７が発熱素子部１６への給電を開始する。上述したように、本実施例では、Ｓ１０２では、光源部１１は点灯していない。但し、通常の画像表示時よりも低い出力で点灯してもよい。
【００３５】
Ｓ１０３Ａでは、制御部２０Ａは、発熱素子部１６の第１の通電時間と温度（第１の温度）を、温度センサ部１８と通電時間測定手段２１から取得する。例えば、時刻Ｔ０に発熱素子部１６の通電を開始して時刻Ｔ１に通電を停止した場合、第１の通電時間＝時刻Ｔ１−時刻Ｔ０となる。時刻Ｔ１と時刻Ｔ０の時間差が微小であれば時刻Ｔ０（またはＴ１）は第１の時刻と観念されてもよいし、時刻Ｔ１と時刻Ｔ０の中間値｛（時刻Ｔ０＋時刻Ｔ１）／２｝が第１の時刻と観念されてもよい。
【００３６】
Ｓ１０４では、制御部２０Ａは、発熱素子部１６の温度が変化するまで所定時間だけ待機する。
【００３７】
Ｓ１０５Ａでは、制御部２０Ａは、発熱素子部１６の第２の通電時間と温度（第２の温度）を、温度センサ部１８と通電時間測定手段２１から取得する。例えば、時刻Ｔ２に発熱素子部１６の通電を開始して時刻Ｔ３に通電を停止した場合、第２の通電時間＝時刻Ｔ３−時刻Ｔ２となる。時刻Ｔ１と時刻Ｔ０の時間差が微小であれば時刻Ｔ２（またはＴ３）は第２の時刻と観念されてもよいし、時刻Ｔ２と時刻Ｔ３の中間値｛（時刻Ｔ２＋時刻Ｔ３）／２｝が第２の時刻と観念されてもよい。
【００３８】
Ｓ１０６では、制御部２０Ａの温度勾配算出手段２２が、Ｓ１０３ＡとＳ１０５Ａで取得した発熱素子部１６の第１の通電時間と温度と第２の通電時間と温度から発熱素子部１６の所定時間における温度変化を表す温度勾配の情報を取得する。温度勾配は、例えば、（第２の温度−第１の温度）／（第２の時刻−第１の時刻）で与えられる。第１の通電時間の温度変化と第２の通電時間の温度変化の平均を温度勾配としてもよい。
【００３９】
Ｓ１０７では、制御部２０Ａは、電圧測定手段２５によって発熱素子部１６の印加電圧値を取得する。Ｓ１０８では、制御部２０Ａは、温度勾配補正手段２６によってＳ１０７で取得した発熱素子部１６の印加電圧値に基づいてＳ１０６で取得した温度勾配を補正する。これにより、発熱素子部１６に印加される商用ＡＣ電源の電圧が設置地域等によって異なる場合でも対応することができる。
【００４０】
なお、発熱素子部１６への印加電圧の所定期間における変動量が閾値範囲内であれば変動しないまたは変動が微小である場合、Ｓ１０７およびＳ１０８を省略してもよい。
【００４１】
Ｓ１０９では、制御部２０Ａの発熱素子給電制御手段２７が発熱素子部１６への給電を停止する。これによって、温度勾配取得時の消費電力を抑えることができる。
【００４２】
Ｓ１１０Ａでは、制御部２０Ａの光源点灯制御手段２４がＳ１０８で取得した発熱素子部１６の温度勾配が規定値以上（第１の閾値以上）であるかどうかを判断する。発熱素子部１６の温度勾配が規定値未満（第１の閾値未満）の場合はＳ１１１に移行し、規定値以上の場合はＳ１１４に移行する。
【００４３】
なお、後述するＳ１１２をＳ１０９の後に設け、制御部２０Ａが、外気温が第２の閾値以上であるかどうかを判断するステップを更に設けてもよい。外気温が第２の閾値未満の場合はＳ１１１に移行し、第２の閾値以上の場合はＳ１１４に移行してもよい。
【００４４】
Ｓ１１１では、制御部２０Ａの光源点灯制御手段２４が光源部１１の点灯を許可し、これにより、光源部１１は点灯可能となり、Ｓ１１３の後で点灯される。光源部１１が点灯可能になるということは、発熱素子部１６を適当な冷却レベルで冷却することができるという意味である。
【００４５】
Ｓ１１２では、制御部２０Ａは、温度センサ部１５から液晶プロジェクタ１Ａの設置場所の温度を検出する。
【００４６】
Ｓ１１３では、制御部２０Ａの冷却レベル設定手段２３が、温度センサ部１５によって検出されたプロジェクタ１Ａの設置場所の温度と発熱素子部１６の温度勾配に応じた冷却レベルを、後述する表１に基づいて設定する。
【００４７】
表１は、Ｓ１１３で冷却レベルを設定する際に使用される、発熱素子部１６の温度勾配（行）と設置場所の温度（列）との関係を示しており、メモリ２８に記憶される。気圧計が検出する気圧の代わりに発熱素子部１６の温度勾配を使用しているので、気圧計を設ける必要がなく、簡易な構成にしてコストアップを防止している。また、メモリ２８は、温度勾配が高いか低いかを判断するための規定値（第１の閾値）や設置場所の温度が高いか低いかを判断するための第２の閾値も記憶している。
【００４８】
【表１】
2015125382.tif 000003
【００４９】
表１に示すように、設置場所の温度と発熱素子部１６の温度勾配より各パラメータの値の分布から冷却レベルの強弱設定を行う。なお、表１に示す４つのモードのような多段階の設定だけでなく、より詳細な無段階の設定を行うことも可能である。
【００５０】
表１から、制御部２０Ａは、発熱素子部１６の温度勾配が高いほど冷却レベルを上げる。つまり、制御部２０Ａは、第１の温度勾配値の冷却レベルよりも、第１の温度勾配値よりも大きい第２の温度勾配値の冷却レベルを高くしている。また、制御部２０Ａは、設置場所の温度が高いほど冷却レベルを上げる。つまり、制御部２０Ａは、第１の温度値の冷却レベルよりも、第１の温度値よりも高い第２の温度値の冷却レベルを高くしている。
【００５１】
また、本実施例では、発熱素子部１６の温度勾配を表１の行に設定しているが、気圧計（気圧検出手段）を設け、気圧値を行に設定してもよい。特許文献１、２はいずれも設置場所の温度を考慮していなかったので、この場合は気圧計を設けるものの、より適切な冷却レベルを設定することができるという効果を有する。
【００５２】
気圧値を横軸に使用する場合は表１の行の「低い」と「高い」を入れ替える。即ち、制御部２０Ａは、気圧値が低いほど冷却レベルを上げる。つまり、制御部２０Ａは、第１の気圧値の冷却レベルよりも、第１の気圧値よりも低い第２の気圧値の冷却レベルを高くしている。
【００５３】
Ｓ１１４では、制御部２０Ａの光源点灯制御手段２４が光源部１１の点灯を禁止して終了する。これにより、光源部１１は点灯が禁止され、ユーザにその旨を知らせる警告が不図示の表示手段に表示されてもよい。光源部１１が点灯禁止になるということは、発熱素子部１６を冷却する適当な冷却レベルがないということであり、たとえ冷却レベルを「強」にしても発熱素子部１６を適切に冷却できないことを意味する。この場合には、危険であるため、光源部１１の点灯ができなくなる。なお、Ｓ１１４は、光源部１１と発熱素子部１６を、画像を表示するときの電力よりも小さな電力で通電してもよい。
【００５４】
液晶プロジェクタ１Ａは、商用ＡＣ電源投入後から光源部１１が点灯されるまではスタンバイ状態である。スタンバイ状態では、省力化のために各素子の消費電力を抑える必要があり、通常は、発熱素子部１６の消費電力も低く設定される。しかしこれでは、温度勾配情報を取得するのに時間がかかってしまう。
【００５５】
そこで、本実施例は、光源部１１を点灯せずに発熱素子部１６を画像表示時と同様に点灯することによって温度勾配を早期に取得している。また、温度勾配を取得するための発熱素子部１６の点灯期間は短く、比較的速く消灯されるので（Ｓ１０９）消費電力の増大も防止することができる。
【００５６】
なお、発熱素子部１６の消費電力が低いまたは給電が必須な場合、Ｓ１０９を省略してもよい。また、上述したように、発熱素子部１６は複数の発熱素子を含むが、Ｓ１０２で点灯する発熱素子部１６の数を画像を表示するときに点灯する発熱素子部１６の数よりも小さくしてもよい。これにより、温度勾配を取得するときの消費電力を抑えることができる。また、電圧測定手段２５は複数の発熱素子のそれぞれについて電圧を測定してもよいし、複数の発熱素子の一つについて電圧を測定してもよい。これは、温度勾配算出手段２２や発熱素子給電制御手段２７にも当てはまる。
【実施例２】
【００５７】
図３は、実施例２の液晶プロジェクタ１Ｂのブロック図であり、図１と同様の部材には同様の参照符号を付している。図３に示すように、液晶プロジェクタ１Ｂは、放熱部１７、温度センサ部１８がなく、制御部２０Ａの代わりに制御部２０Ｂを使用している点で液晶プロジェクタ１Ａと異なる。但し、液晶プロジェクタ１Ｂは、放熱部１７を有してもよい。制御部２０Ｂは、温度勾配補正手段２６がなく、電流測定手段２９、発熱素子温度算出手段３０を有する点で制御部２０Ａとは相違する。但し、制御部２０Ｂは、温度勾配補正手段２６を有してもよい。
【００５８】
電流測定手段２９は、発熱素子部１６の電流値を測定する。また、電流測定手段２９は複数の発熱素子のそれぞれについて電流を測定してもよいし、複数の発熱素子の一つについて電流を測定してもよい。
【００５９】
発熱素子温度算出手段３０は、電圧測定手段２５によって測定された発熱素子部１６の電圧値と電流測定手段２９によって測定された発熱素子部１６の電流値から発熱素子部１６の温度を算出する。
【００６０】
図４は、液晶プロジェクタ１Ｂによる自動冷却レベル設定方法を示すフローチャートであり、「Ｓ」はステップ（工程）を表す。自動冷却レベル設定方法では、液晶プロジェクタ１Ａが自動で冷却部１４による冷却レベル（強、中、弱）を設定する。自動設定により操作性を向上する。また、適正な冷却レベルを設定することによって発熱素子を高い冷却効率で冷却して液晶プロジェクタ１Ｂの光学性能を維持し、投射画像の画質を維持することができる。また、不必要に高い冷却レベルで冷却しないので冷却部１４による消費電力を低く抑えることができる。
【００６１】
図４に示すフローチャートは、コンピュータに各手順を実行させるためのプログラムとして具現化が可能であり、このプログラムはメモリ２８に記憶されてもよい。図４において、図２と同様のステップには同一の参照符号を付している。
【００６２】
Ｓ１０１とＳ１０２の後でＳ１０３Ｂが行われる。Ｓ１０３Ｂでは、制御部２０Ｂは、発熱素子部１６の第１の通電時間と温度を取得する。制御部２０Ｂは、図２のＳ１０３Ａと同様に、第１の通電時間を通電時間測定手段２１から取得する。また、制御部２０Ｂは、電圧測定手段２５および電流測定手段２９によって発熱素子部１６の電圧値および電流値を取得し、これらに基づいて発熱素子温度算出手段Ｂ１７が発熱素子部１６の温度を算出する。
【００６３】
Ｓ１０４の後でＳ１０５Ｂが行われる。Ｓ１０５Ｂでは、制御部２０Ｂは、発熱素子部１６の第２の通電時間と温度を取得する。制御部２０Ｂは、図２のＳ１０５Ａと同様に、第２の通電時間を通電時間測定手段２１から取得する。また、制御部２０Ｂは、Ｓ１０３Ｂと同様にして、電圧測定手段２５、電流測定手段２９および発熱素子温度算出手段Ｂ１７から発熱素子部１６の温度を取得する。
【００６４】
その後、Ｓ１０６、Ｓ１０９、Ｓ１１０Ｂが行われる。なお、本実施例でもＳ１０６の後でＳ１０７とＳ１０８が行われてもよい。Ｓ１１０Ｂでは、制御部２０Ｂの光源点灯制御手段２４がＳ１０６で取得した発熱素子部１６の温度勾配が規定値以上であるかどうかを判断する。発熱素子部１６の温度勾配が規定値未満ならＳ１１１に移行し、規定値以上ならＳ１１４に移行する。Ｓ１１１の後でＳ１１２、Ｓ１１３が行われる。
【００６５】
本実施例は、図４に示す制御フローを行うことによって温度センサ部１８を省略することができ、より簡易な構成にすることができる。待機期間中の消費電力を抑えて温度勾配の取得時間を短縮することができる点やＳ１０９を省略することができる点は実施例１と同様である。
【００６６】
なお、本実施例は、電圧測定手段２５と電流測定手段２９を共に使用しているが、発熱素子部１６の電圧もしくは電流のいずれか１つのパラメータで発熱素子部１６の温度が算出できる場合は、どちらか１つだけを使用してもよい。
【００６７】
画像表示装置の制御部は、温度計の検出結果と気圧計の検出結果の両者に基づいて、冷却レベルを変更してもよい。この場合、検出された温度、気圧に応じて冷却レベルを変化させる際、それらの積に応じて冷却レベルを変化させる（積が大きいほど冷却レベルを上げる）ように構成しても良い。また、それぞれへの重みづけを与え、（検出温度のａ乗）×（検出気圧のｂ乗）の値に基づいて冷却レベルを変化させても良い。
【００６８】
以上、本発明の実施例について説明したが、本発明はこれらの実施例に限定されず、その要旨の範囲内で種々の変形及び変更が可能である。
【産業上の利用可能性】
【００６９】
本発明は、液晶プロジェクタ、ノート型ＰＣ、ゲーム機、ＰＤＡなどの画像表示装置の用途に適用可能である。
【符号の説明】
【００７０】
１Ａ、１Ｂ…液晶プロジェクタ（画像表示装置）、１４…冷却部（冷却手段）、１５…温度センサ部（温度検出手段）、１６…発熱素子部、２０Ａ、２０Ｂ…制御部（制御手段）
【図１】
2015125382.tif 000004
【図２】
2015125382.tif 000005
【図３】
2015125382.tif 000006
【図４】
2015125382.tif 000007